(57)【要約】【課題】組立式包装箱として、製品を出し入れし易く、再梱包が極めて容易であり、汎用性が高く、低コストで製作及び組立を行えるものを提供する。【解決手段】収納製品を嵌装固定する緩衝枠体１と、緩衝枠体１を収容する外装ケース２とからなる。緩衝枠体１は、底壁１０と、底壁１０の前後縁に沿って一体形成された縦断面角環状の緩衝壁１１，１２とを有し、前側の緩衝壁１１が前方へ倒伏可能に構成され、両緩衝壁１１，１２の内側壁部１１ａ，１２ａに製品固定凹部１３，１４を備える。外装ケース２は、底壁２０から連続した前後壁２１，２２及び左右側壁２３，２４を有し、前壁２１が前方へ倒伏可能であり、後壁２２の上縁に上蓋フラップ２５が連設され、左右側壁２３，２４の後縁には後壁２２の前で互いに係合可能な係止フラップ２７，２８が延設されてなる。【選択図】図１
2008024322.tif 000002
【特許請求の範囲】
【請求項１】
収納製品を嵌装固定する緩衝枠体と、この緩衝枠体を収容する外装ケースとからなり、  前記緩衝枠体は、底壁と、該底壁の前後縁に沿って一体形成された縦断面角環状の緩衝壁とを有し、その前側の緩衝壁が前方へ倒伏可能に構成されると共に、両緩衝壁の内側壁部に製品固定手段を備え、
前記外装ケースは、底壁から連続した前後壁及び左右側壁を有し、その前壁が前方へ倒伏可能に構成されると共に、後壁の上縁に上蓋フラップが連設され、左右側壁の後縁には後壁の前で互いに係合可能な係止フラップが延設されてなる組立式包装箱。
【請求項２】
前記外装ケースの左右側壁の前縁と前壁の左右側縁とが内折り繋ぎ片を介して接続されてなる請求項１記載の組立式包装箱。
【請求項３】
前記緩衝枠体における前側の緩衝壁の製品固定手段が上方及び後方に開く製品拘束凹部からなる請求項１又は２に記載の組立式包装箱。
【請求項４】
前記外装ケースにおける両係止フラップが上下方向の切り込み同士で互に係合する請求項１〜３のいずれかに記載の組立式包装箱。
【請求項５】
前記緩衝枠体における前後の緩衝壁の少なくとも一方に、その内側壁部の左右両端縁から両緩衝壁の対向方向に延出する補強フラップが形成されてなる請求項１〜４のいずれかに記載の組立式包装箱。
【請求項６】
前記緩衝枠体の底壁に収納製品の側面に当接させる切り起こし片が設けられてなる請求項１〜５のいずれかに記載の組立式包装箱。
【請求項７】
前記外装ケースにおける前壁の上端部と上蓋フラップの前端部とが交互挿嵌式のロック機構によって係着されてなる請求項１〜６のいずれかに記載の組立式包装箱。
【請求項８】
前記緩衝枠体及び外装ケースがそれぞれ一枚の紙製シート材よりなる請求項１〜７のいずれかに記載の組立式包装箱。
【発明の詳細な説明】
【技術分野】
【０００１】
この発明は、段ボール紙や板紙等を折曲げて組み立てる包装箱、特に製品を嵌装固定する緩衝枠体と、これを収容する外装ケースとからなる組立式包装箱に関する。
【背景技術】
【０００２】
従来より、段ボール紙や板紙等から組み立てられる組立式包装箱において、収容製品の緩衝及び固定手段として、箱内面の要所に発泡スチロールのプロックを接着したり、収納製品をその形状に対応する発泡スチロール成形枠に嵌装した状態で収納したり、収納製品を気泡型等の空気層を持つ合成樹脂製クッションシートで被包したり、同様のクッションシートを箱内面と収納製品との隙間に詰める等の方法が汎用されていた。しかるに、発泡スチロールや合成樹脂製クッションシートは、廃棄物として焼却する際、有毒ガスを発生する上、燃焼カロリーが大きいために焼却炉を傷め易いという問題があった。
【０００３】
そこで、近年においては、上記の発泡スチロールや合成樹脂製クッションシートに代えて、段ボール紙等を折り曲げて製品形状に対応する緩衝及び固定用の枠形にした緩衝枠体を用い、収納製品を該緩衝枠体に嵌装した状態で外装ケースに収容したり（特許文献１，２）、段ボール紙等よりなる包装箱自体に緩衝及び固定用の構造を付加すること（特許文献３）が提案されている。
【特許文献１】実開平５−９５８６９号公報
【特許文献２】特開２００１−２７８３５０号公報
【特許文献３】特開平５−１６２７６１号公報
【発明の開示】
【発明が解決しようとする課題】
【０００４】
しかしながら、前記従来の緩衝枠体を用いる組立式包装箱では、収納製品を取り出す際、開封した外装ケースから収納製品を緩衝枠体ごと抜き出し、更に収納製品を緩衝枠体から外すという煩雑な操作を要する上、特に訪問販売のように顧客の前で梱包を解いて複数種の製品を提示した後に再梱包したり、通信販売等で何らかの要因による返品のために再梱包する場合に、その再梱包操作に非常に手間がかかると共に、製品形状によっては緩衝枠体との嵌合構造が複雑になるため、梱包形態についての専門知識のない販売員や消費者にとって再梱包自体が困難になるという懸念もあった。一方、前記従来の箱自体に緩衝及び固定用の構造を付加した組立式包装箱では、収納製品の形状及びサイズ毎に対応した専用の箱形態が必要になるため、汎用性に乏しく、製作及び組立のコストが高くつくという問題があった。
【０００５】
この発明は、上述の事情に鑑みて、組立式包装箱として、製品を出し入れし易く、再梱包が極めて容易である上、汎用性が高く、低コストで製作及び組立を行えるものを提供することを目的としている。
【課題を解決するための手段】
【０００６】
上記目的を達成するために、請求項１の発明に係る組立式包装箱は、収納製品を嵌装固定する緩衝枠体と、この緩衝枠体を収容する外装ケースとからなり、前記緩衝枠体は、底壁と、該底壁の前後縁に沿って一体形成された縦断面角環状の緩衝壁とを有し、その前側の緩衝壁が前方へ倒伏可能に構成されると共に、両緩衝壁の内側壁部に製品固定手段を備え、前記外装ケースは、底壁から連続した前後壁及び左右側壁を有し、その前壁が前方へ倒伏可能に構成されると共に、後壁の上縁に上蓋フラップが連設され、左右側壁の後縁には後壁の前で互いに係合可能な係止フラップが延設されてなるものとしている。
【０００７】
請求項２の発明は、請求項１の組立式包装箱において、外装ケースの左右側壁の前縁と前壁の左右側縁とが内折り繋ぎ片を介して接続されてなる構成としている。
【０００８】
請求項３の発明は、請求項１又は２の組立式包装箱において、緩衝枠体における前側の緩衝壁の製品固定手段が上方及び後方に開く製品拘束凹部からなる構成としている。
【０００９】
請求項４の発明は、請求項１〜３のいずれかの組立式包装箱において、外装ケースにおける両係止フラップが上下方向の切り込み同士で互に係合する構成としている。
【００１０】
請求項５の発明は、請求項１〜４のいずれかの組立式包装箱において、緩衝枠体における前後の緩衝壁の少なくとも一方に、その内側壁部の左右両端縁から両緩衝壁の対向方向に延出する補強フラップが形成されてなる構成としている。
【００１１】
請求項６の発明は、請求項１〜５のいずれかの組立式包装箱において、緩衝枠体の底壁に収納製品の側面に当接させる切り起こし片が設けられてなる構成としている。
【００１２】
請求項７の発明は、請求項１〜６のいずれかの組立式包装箱において、外装ケースにおける前壁の上端部と上蓋フラップの前端部とが交互挿嵌式のロック機構によって係着されてなる構成としている。
【００１３】
請求項８の発明は、請求項１〜６のいずれかの組立式包装箱において、緩衝枠体及び外装ケースがそれぞれ一枚の紙製シート材よりなる構成としている。
【発明の効果】
【００１４】
請求項１の発明に係る組立式包装箱によれば、収納製品を取り出す際、外装ケースの上蓋フラップを開いて前壁を前方へ倒伏させ、次いで緩衝枠体の前側の緩衝壁も前方へ倒伏させると、この前側緩衝壁の内側壁部の製品固定手段による収納製品の拘束が解かれるから、緩衝枠体を外装ケースから抜き出すことなく、該収納製品だけを前方へ引き出して簡単に取り出せると共に、前方から収納製品の下面に手を差し入れて前部を持ち上げる形でも容易に取り出すことができる。一方、再梱包の際には、外装ケースの前壁と緩衝枠体の前側緩衝壁が取出時のまま前方へ倒伏した状態で、取出方向から収納製品を緩衝枠体内に入り込ませ、緩衝枠体の前側緩衝壁と外装ケースの前壁とを垂直に引き起こし、外装ケースの上蓋フラップを閉じるだけでよく、梱包形態についての専門知識がなくとも支障なく梱包操作できる。
【００１５】
また、このような組立式包装箱は、外装ケースと緩衝枠体とからなるため、収納製品の形状とサイズに大幅な違いがなければ、緩衝枠体のみを内側が収納製品の種類に対応した拘束形状のものとして、外装ケースを複数種の収納製品に共用できるから、外装ケースの材料及び製作工程の一元化による大幅なコスト低減を図り得る。そして、緩衝枠体の前後の両緩衝壁が縦断面角環状であることから、梱包状態で堅固な中空緩衝部を構成し、輸送及び取扱い中の外力による収納製品への衝撃を効果的に吸収緩和すると共に、外装ケースを内側から支持して組立式包装箱全体の保形性を向上させ、また前側緩衝壁の上記倒伏姿勢と垂直姿勢との転換が平行四辺形状の屈伸によって容易になされる。更に、外装ケースの左右側壁の後縁に延設した係止フラップが後壁の前で互いに係合するため、梱包状態で左右側壁が垂直状態に安定に保持され、製品取出時に上蓋フラップを開いても両側壁の直立姿勢が崩れず、もって再梱包操作が行い易い上、最初の梱包において製品を納めた緩衝枠体を前方から外装ケース内へスライドさせて収容する際、係合した両係止フラップに緩衝枠体の後面を接当させて位置決めできるから、梱包操作がより容易になる。
【００１６】
請求項２の発明によれば、外装ケースの左右側壁の前縁と前壁の左右側縁との間に内折り繋ぎ片が介在するから、収納製品の取出時に外装ケースの上蓋フラップを開いた際、内折りされていた両繋ぎ片の折りを戻す復元力により、この外装ケースの前壁が自動的に先方へ開き出して倒伏する一方、再梱包時には両繋ぎ片の内折りの癖付けにより、当該前壁を位置ずれなく元の垂直姿勢に容易に戻すことができる。
【００１７】
請求項３の発明によれば、緩衝枠体における前側の緩衝壁の製品固定手段が上方及び後方に開く製品拘束凹部をなすから、収納製品の取出時にこの前側緩衝壁を前方へ倒伏させた際、前側の製品固定手段による収納製品の拘束が自動的に且つ円滑に解かれ、収納製品の取り出しがより容易になる。
【００１８】
請求項４の発明によれば、外装ケースにおける両係止フラップが上下方向の切り込み同士で互に係合する構成であるから、その係合操作が極めて簡単であり、もって該外装ケースの組立をより容易に行える。
【００１９】
請求項５の発明によれば、緩衝枠体の前後の緩衝壁の少なくとも一方に、その内側壁部の左右両端縁から両緩衝壁の対向方向に延出する補強フラップが形成されているから、組立式包装箱全体としての左右側面部の剛性及び強度が増すと共に、これら補強フラップが外装ケースに加わる上下方向の外力を内側から支承するから、包装箱全体としての上下方向の耐圧強度も向上する。
【００２０】
請求項６の発明によれば、緩衝枠体の底壁に設けた切り起こし片が収納製品の側面に当接するから、収納製品が前後方向と共に左右方向にも拘束され、それだけ収納製品がより安定した固定状態になる。
【００２１】
請求項７の発明によれば、外装ケースにおける前壁の上端部と上蓋フラップの前端部とが交互挿嵌式のロック機構によって係着されるから、梱包状態で上蓋フラップが不用意に開く懸念がないと共に、収納製品の取り出す際に該ロック機構を解除することにより、上蓋フラップの開放に伴って前壁が前方へ倒伏可能となる。
【００２２】
請求項８の発明によれば、緩衝枠体及び外装ケースがそれぞれ一枚の紙製シート材よりなるから、材料コスト及び製作コストが少なくて済む上、組立前形態では嵩張らない平坦シートとして場所を取らず搬送・保管を行えるという利点がある。
【発明を実施するための最良の形態】
【００２３】
以下、この発明に係る組立式包装箱の実施形態について、図面を参照して具体的に説明する。図１〜図６は第一実施形態の組立式包装箱Ｂ１、図７〜図１２は第二実施形態の組立式包装箱Ｂ２を、それぞれ示す。
【００２４】
第一実施形態の組立式包装箱Ｂ１は、図１に示すように、内側に製品（図示省略）を嵌装する矩形の緩衝枠体１と、この緩衝枠体１を製品嵌装状態で収容する矩形の外装ケース２とからなる。そして、緩衝枠体１と外装外装ケース２は、それぞれ段ボール紙や板紙の如き一枚の紙製シート材から折り曲げによって組立製作されている。
【００２５】
緩衝枠体１は、底壁１０と、該底壁１０の前後縁に沿う縦断面角環状の緩衝壁１１，１２とを有している。そして、前側緩衝壁１１は、内側壁部１１ａの中央側が凹陥して上方及び後方に開く製品拘束凹部１３を形成しており、角環状の全体が平行四辺形状に屈伏する形で前方へ倒伏可能になっている。一方、後側緩衝壁１２は、内側壁部１２ａの中央側が切り欠かれて前方へ開く製品拘束凹部１４を形成すると共に、該製品拘束凹部１４の上縁から後側緩衝壁１２の２／３高さ程度に垂下する抑えフラップ１５を有しており、前側緩衝壁１１と同様に角環状の全体が平行四辺形状に屈伏する形で後方へ倒伏可能になっている。
【００２６】
また、両緩衝壁１１，１２には、内側壁部１１ａ，１２ｂの左右両端縁から互いに両緩衝壁１１，１２の対向方向に延出する略矩形の補強フラップ１６…が設けてある。更に、底壁１０には、前後の製品拘束凹部１４，１５の片側縁（図では左側縁）を結ぶ前後方向に沿って立ち上がる切り起こし片１７が設けられ、この切り起こし片１７の上部１７ａが外向きに折曲されている。
【００２７】
外装ケース２は、底壁２０の四周に前後壁２１，２２及び左右側壁２３，２４が連設されると共に、前壁２１が前方へ、後壁２２が後方へ各々倒伏可能に構成されると共に、該後壁２２の上縁に上蓋フラップ２５が連設されている。そして、前壁２１の左右側縁と左右側壁２３，２４の前縁とが４５度折り線２６ａで内折りされる繋ぎ片２６，２６を介して接続されると共に、左右側壁２３，２４の後縁から延設された係止フラップ２７，２８が、各々の先端側に設けた上下方向の切り込み２７ａ，２８ａの係合により、後壁２２の前で互いに係合して壁状をなすように構成されている。
【００２８】
また、前壁２１の上端部には広幅の内折り片２１ａ及び狭幅でＬ字形に折曲した第二差込み片２１ｂと広幅の第一スリット２１ｃが設けられると共に、上蓋フラップ２５の前端部に広幅の第一差込み片２５ａと狭幅の第二スリット２５ｂが設けてあり、内折り片２１ａを内向きに折りつけた状態で第一スリット２１ｃに第一差込み片２５ａを挿嵌し、次いで第二スリット２５ｂに第二差込み片２１ｂを挿嵌することにより、前壁２１の上端部と上蓋フラップ２５の前端部とが交互挿嵌式のロック機構にて係着するようになっている。２１ｄは第二差込み片２１ｂの折曲部に設けたロック解除用の指掛け突起、２５ｃは第二スリット２５ｂの中央に設けたロック解除用の指掛け穴である。なお、左右側壁２３，２４の上縁には内折りされた蓋受けフラップ２３ａ，２４ａを有している。
【００２９】
上記構成の組立式包装箱Ｂ１では、例えば小型電子機器等の製品を梱包する際、まず該製品本体（図示省略）と電池、アダプタ、接続ケーブル等の付属部品（図示省略）とを緩衝枠体１の内側に納める。このとき、緩衝枠体１は、前後の緩衝壁１１，１２を倒伏させ、且つ後側緩衝壁１２の抑えフラップ１５を引き起こした状態で、両緩衝壁１１，１２と間に製品本体を側面が切り起こし片１７に接するように載置した後、両緩衝壁１１，１２を引き起こすことにより、該製品本体の一端側を後側緩衝壁１２の製品拘束凹部１４に嵌入させると共に、他端側を前側緩衝壁１１の製品拘束凹部１３に嵌合させ、次いで後側の抑えフラップ１５を下向きに折り付けることにより、その下縁で後側の製品拘束凹部１４に嵌入している該製品本体の一端側を抑え付ける、そして、付属部品は、切り起こし片１７と左側の補強フラップ１６，１６との間に納める。
【００３０】
一方、外装ケース２は、図１に示すように、上蓋フラップ２５を開いて前後壁２１，２２が倒伏した状態にしておき、前記の製品を装着した緩衝枠体１を前方からスライドさせる形で内側に収容する。このとき、外装ケース２の係止フラップ２７，２８が互いに係合して壁状をなしているから、これに緩衝枠体１が接当して自動的に位置決めされる。かくして緩衝枠体１を収容したのち、倒伏している前後壁２１，２２を引き起こし、上蓋フラップ２５を被せて、その前端部と前壁２１の上端部とを前記ロック機構で係着することにより、梱包が完了する。なお、前壁２１は左右両側が内折り繋ぎ片２６，２６を介して左右側壁２３，２４に接続しているから、当該前壁２１を倒伏姿勢から位置ずれなく垂直姿勢に簡単に転換し、もって梱包操作がより容易になる。
【００３１】
しかして、この梱包状態では、緩衝枠体１の縦断面角環状をなす前後の両緩衝壁１１，１２が堅固な中空緩衝部を構成しているから、輸送及び取扱い中に衝撃を受けても、収納製品への衝撃は効果的に吸収緩和される。また、両緩衝壁１１，１２が外装ケース２を内側から支持するから、包装箱全体の保形性がよい上、緩衝枠体１の補強フラップ１６…により、包装箱Ｂ１全体としての左右側面部の剛性及び強度が増すと共に、これら補強フラップ１６…が外装ケース２に加わる上下方向の外力を内側から支承するから、包装箱Ｂ１全体としての上下方向の耐圧強度も大きくなる。
【００３２】
この梱包した収納製品を取り出す際、まず前記の交互挿嵌式のロック機構を外し、図２に示すように、外装ケース２の上蓋フラップ２５を開いて後壁２２と共に後方へ倒すと、外装ケース２の内折りされていた左右の繋ぎ片２６，２６の折りを戻す復元力により、外装ケース２の前壁２１が自動的に先方へ開き出して倒伏する。次いで、図３ならびに図４の仮想線で示すように、緩衝枠体１の前側緩衝壁１１を前方へ倒伏させると、この前側緩衝壁１１の全体が平坦化して内側壁部１１ａの製品拘束凹部１３も消滅し、この前側の製品拘束凹部１３による製品本体の拘束が自動的に解かれるから、緩衝枠体１を外装ケース２から抜き出すことなく、該製品本体だけを前方へ引き出して簡単に取り出せると共に、前方から製品本体の下面に手を差し入れて前部を持ち上げる形でも容易に取り出すことができる。
【００３３】
また、取り出した製品を再梱包する際は、外装ケース２の前壁２１と緩衝枠体１の前側緩衝壁１１が取出時のまま前方へ倒伏した状態で、取出方向（前方）から製品本体を緩衝枠体１内に入り込ませ、外装ケース２の前壁２１を緩衝枠体１の前側緩衝壁１１と共に垂直に引き起こし、外装ケース２の上蓋フラップ２５を閉じ、この上蓋フラップ２５の前端部と前壁２１の上端部とを前記ロック機構を介して係着するだけでよい。なお、この再梱包においても、外装ケース２の前壁２１は両側の繋ぎ片２６，２６の内折りの癖付けによって位置ずれなく元の垂直姿勢に容易に戻る。従って、訪問販売員が顧客の前で梱包を解いて複数種の製品を提示した後に再梱包したり、消費者が通信販売等で何らかの要因による返品のために再梱包する場合に、梱包形態についての専門知識がなくとも支障なく容易に梱包操作を行える。
【００３４】
図５は緩衝枠体１の組立前の平坦シート１’を示す。この平坦シート１’は、既述の緩衝枠体１における底壁１０，前後の緩衝壁１１，１２、製品拘束凹部１３，１４、抑えフラップ１５、補強フラップ１６…、切り起こし片１７の各々を構成するために、原シートからの所要形状の打ち抜きと同時に、製品拘束凹部１３，１４の形成位置における実線で示す切り抜き及び切り込みと、破線で示す各折り曲げ位置での折り目とを設けたものである。しかして、緩衝壁１１，１２の形成部から両外側への延出部１８ａ，１８ｂは、底壁１０側へ折り返し、斜線を附した領域１９で底壁１０に接着することにより、図４で示すように角環状の前後の緩衝壁１１，１２を形成するようになっている。また、後側の製品拘束凹部１４の形成位置に設けた突片部１８ｃも、その斜線を附した領域１９で後側緩衝壁１２の頂部裏面側に接着することにより、当該製品拘束凹部１４の奥行き度合を設定するようになっている。
【００３５】
図６は外装ケース２の組立前の平坦シート２’を示す。この平坦シート２’は、既述の外装ケース２における底壁２０，前後壁２１，２２、左右側壁２３，２４、蓋受けフラップ２３ａ，２４ａ、上蓋フラップ２５、繋ぎ片２６，２６、係止フラップ２７，２８、内折り片２１ａ、第一差込み片２５ａ、第一スリット２１ｃ、第二スリット２５ｂ、指掛け突起２１ｄ、指掛け穴２５ｃの各々を構成するために、原シート材からの所要形状の打ち抜きと同時に、実線で示す要所の切り抜き及び切り込みと、破線で示す各折り曲げ位置での折り目とを設けている。しかして、係止フラップ２７，２８における切り込み２７ａ，２８ａの外側部２７ｂ，２８ｂは、切り込み２７ａ，２８ａ同士の係合操作が容易になるように折り曲げ可能にしてある。
【００３６】
第二実施形態の組立式包装箱Ｂ２は、図７に示すように、前記第一実施形態の組立式包装箱Ｂ１と同様に、内側に製品（図示省略）を嵌装する矩形の緩衝枠体３と、この緩衝枠体３を製品嵌装状態で収容する矩形の外装ケース４とからなる。
【００３７】
緩衝枠体３は、図１１に示す形状の一枚の紙製シート材３’からの折り曲げ及び接着によって組立製作されたもので、底壁３０と、該底壁３０の前後縁に沿う縦断面角環状の緩衝壁３１，３２とを有している。そして、前側緩衝壁３１は、内側壁部３１ａの左寄り部分が凹陥して上方及び後方に開く製品拘束凹部３３を形成しており、角環状の全体が平行四辺形状に屈伏する形で前方へ倒伏可能になっている。一方、後側緩衝壁３２は、内側壁部３２ａの左寄り部分が切り欠かれて前方へ開く製品拘束凹部３４を形成すると共に、頂面３２ｂの右寄り位置に略円形の部品挿入穴３５が設けてあり、前側緩衝壁３１と同様に角環状の全体が後方へ倒伏可能になっている。両緩衝壁３１，３２には、内側壁部３１ａ，３２ｂの左右両端縁から互いに対向方向に延出する略矩形の補強フラップ３６…が設けてある。更に、底壁３０には、前後の製品拘束凹部３４，３５の片側縁（図では左側縁）を結ぶ前後方向に沿って立ち上がる切り起こし片３７が設けてある。
【００３８】
外装ケース４は、図１２に示す形状の一枚の紙製シート材４’からの折り曲げ及び接着によって組立製作されたもので、前記第一実施形態の組立式包装箱Ｂ１における外装ケース２とサイズが異なるだけで略同様の構造であり、底壁４０の四周に前後壁４１，４２及び左右側壁４３，４４が連設されると共に、該後壁４２の上縁に上蓋フラップ４５が連設され、前壁４１の左右側縁と左右側壁４３，４４の前縁とが４５度折り線４６ａで内折りされる繋ぎ片４６，４６を介して接続されており、前壁４１が前方へ、後壁４２が後方へ各々倒伏可能である。また、左右側壁４３，４４の後縁から係止フラップ４７，４８が延設され、各々の先端側に設けた上下方向の切り込み４７ａ，４８ａの係合により、後壁４２の前で互いに係合して壁状をなしている。そして、前記第一実施形態と同様に、前壁４１の上端部と上蓋フラップ４５の前端部とを係着する交互挿嵌式のロック機構として、前壁４１側に広幅の内折り片４１ａ及び狭幅でＬ字形に折曲した第二差込み片４１ｂと広幅の第一スリット４１ｃが設けられると共に、上蓋フラップ４５側に広幅の第一差込み片４５ａと狭幅の第二スリット４５ｂが設けてある。
【００３９】
なお、４１ｄは第二差込み片４１ｂの折曲部に設けたロック解除用の指掛け突起、４５ｃは第二スリット４５ｂの中央に設けたロック解除用の指掛け穴、４３ａ，４４ａは左右側壁４３，４４の上縁に連設された内折りの蓋受けフラップ４３ａ，４４ａである。
【００４０】
上記構成の組立式包装箱Ｂ２では、例えば電子機器等の製品を梱包する際、まず該製品本体（図示省略）と付属部品（図示省略）を緩衝枠体３の内側に納める。このとき、緩衝枠体３は、前後の緩衝壁３１，３２を倒伏させた状態で、両緩衝壁３１，３２と間に製品本体を側面が切り起こし片３７に接するように載置した後、両緩衝壁３１，３２を引き起して該製品本体の一端側を後側の製品拘束凹部３４に嵌入させると共に、他端側を前側の製品拘束凹部３３に嵌合させることにより、該製品本体を固定する。なお、付属部品は、切り起こし片４７と左側の補強フラップ４６，４６との間と、部品挿入穴３５の内側とに納める。そして、外装ケース４は、図８に示すように、上蓋フラップ４５を開いて前後壁４１，４２が倒伏した状態とし、製品を装着した緩衝枠体３を前方からスライドさせて内側へ収容し、係合した係止フラップ４７，４８による壁状部分に接当して位置決めし、倒伏している前後壁４１，４２を引き起こし、上蓋フラップ４５を被せて前記ロック機構で前壁４１に係着することにより、梱包が完了する。
【００４１】
この梱包においては、前壁４１が左右の内折り繋ぎ片４６，４６によって倒伏姿勢から位置ずれなく垂直姿勢に簡単に転換し、もって梱包操作がより容易になる。また、梱包状態では、緩衝枠体３の前後の両緩衝壁３１，３２が堅固な中空緩衝部を構成しているから、輸送及び取扱い中の衝撃が効果的に吸収緩和され、収納製品へのダメージが回避されると共に、両緩衝壁３１，３２による内側からの支持で包装箱Ｂ２全体の保形性がよく、加えて緩衝枠体３の補強フラップ３６…により、包装箱Ｂ２全体としての左右側面部の剛性及び強度と上下方向の耐圧強度が大きくなる。
【００４２】
しかして、梱包した収納製品を取り出す際は、前記ロック機構を外し、図８に示すように、外装ケース４の上蓋フラップ４５を開いて後壁４２と共に後方へ倒すと、内折りされていた左右の繋ぎ片４６，４６の折りを戻す復元力により、外装ケース４の前壁４１が自動的に先方へ開き出して倒伏する。次いで、図９ならびに図１０の仮想線で示すように、緩衝枠体３の前側緩衝壁３１を前方へ倒伏させると、この前側緩衝壁３１の全体が平坦化し、内側壁部３１ａの製品拘束凹部３３の消滅に伴って製品本体の前側の拘束が自動的に解かれるから、緩衝枠体３を外装ケース４から抜き出すことなく、該製品本体だけを前方へ引き出したり、前方から製品本体の下面に手を差し入れて前部を持ち上げる形で容易に取り出すことができる。
【００４３】
また、取り出した製品を再梱包する際は、前記第一実施形態の場合と同様に、外装ケース４の前壁４１と緩衝枠体３の前側緩衝壁３１が取出時の前方へ倒伏した状態で、前方から製品本体を緩衝枠体３内に入り込ませ、外装ケース４の前壁４１を緩衝枠体３の前側緩衝壁３１と共に垂直に引き起こし、外装ケース４の上蓋フラップ４５を閉じて前記ロック機構を介して前壁４１の上端部に係着すればよい。
【００４４】
なお、この発明に係る組立式包装箱では、各部の細部構成については例示した第一及び第二実施形態以外に種々設計変更可能であり、特に緩衝枠体に関しては収納製品の形態に応じて製品拘束手段ならびに付属部品の収納部を様々に設定できる。また、既述の第一実施形態の組立式包装箱Ｂ１と第二実施形態の組立式包装箱Ｂ２とは、収納製品のサイズ及び形状の違いが大きいため、それぞれを構成する緩衝枠体１，３と外装ケース２，４とが共に異なるものとして例示したが、この発明においては、収納製品の形状とサイズに大幅な違いがなければ、緩衝枠体のみを内側が収納製品の種類に対応した拘束形状のものとして、外装ケースを複数種の収納製品に共用できる。この共用の場合、外装ケースの材料及び製作工程を一元化できるから、大幅なコスト低減を図り得る。
【図面の簡単な説明】
【００４５】
【図１】この発明の第一実施形態に係る組立式包装箱の緩衝枠体と外装ケースとを分離した状態で示す斜視図である。
【図２】同組立式包装箱における外装ケースの上蓋フラップを開いた状態を示す斜視図である。
【図３】同組立式包装箱における収納製品の取出時の状態を示す斜視図である。
【図４】同組立式包装箱に用いる緩衝枠体の縦断側面図である。
【図５】同緩衝枠体の組立前の展開図である。
【図６】同組立式包装箱に用いる外装ケースの組立前の展開図である。
【図７】この発明の第二実施形態に係る組立式包装箱の緩衝枠体と外装ケースとを分離した状態で示す斜視図である。
【図８】同組立式包装箱における外装ケースの上蓋フラップを開いた状態を示す斜視図である。
【図９】同組立式包装箱における収納製品の取出時の状態を示す斜視図である。
【図１０】同組立式包装箱に用いる緩衝枠体の縦断側面図である。
【図１１】同緩衝枠体の組立前の展開図である。
【図１２】同組立式包装箱に用いる外装ケースの組立前の展開図である。
【符号の説明】
【００４６】
Ｂ１，Ｂ２・・・・・組立式包装箱
１，３・・・・・・・緩衝枠体
２，４・・・・・・・外装ケース
１０，３０・・・・・底壁
１１，３１・・・・・前側緩衝壁
１１ａ，１２ａ・・・内側壁部
１２，３２・・・・・後側緩衝壁
１３，３３・・・・・前側の製品拘束凹部（製品拘束手段）
１４，３４・・・・・後側の製品拘束凹部（製品拘束手段）
１６，３６・・・・・補強フラップ
１７，３７・・・・・切り起こし片
２０，４０・・・・・底壁
２１，４１・・・・・前壁
２１ａ，４１ａ・・・内折り片（ロック手段）
２１ｂ，４１ｂ・・・第二差込み片（ロック手段）
２１ｃ，４１ｃ・・・第一スリット（ロック手段）
２２，４２・・・・・後壁
２３，４３・・・・・左側壁
２４，４４・・・・・右側壁
２５，４５・・・・・上蓋フラップ
２５ａ，４５ａ・・・第一差込み片（ロック手段）
２５ｂ，４５ｂ・・・第二スリット（ロック手段）
２６，４６・・・・・繋ぎ片
２６ａ，４６ａ・・・内折り線
２７，２８・・・・・係止フラップ
２７ａ，２８ａ・・・切り込み
３１ａ，３２ａ・・・内側壁部
４７，４８・・・・・係止フラップ
４７ａ，４８ａ・・・切り込み
【図１】
2008024322.tif 000003
【図２】
2008024322.tif 000004
【図３】
2008024322.tif 000005
【図４】
2008024322.tif 000006
【図５】
2008024322.tif 000007
【図６】
2008024322.tif 000008
【図７】
2008024322.tif 000009
【図８】
2008024322.tif 000010
【図９】
2008024322.tif 000011
【図１０】
2008024322.tif 000012
【図１１】
2008024322.tif 000013
【図１２】
2008024322.tif 000014